(57)【要約】【課題】被験者を乗務させることができるか否かの判定を容易にできる健康管理システム、健康管理装置、健康管理方法、およびプログラムを提供すること。【解決手段】生体情報収集装置は、被験者の睡眠時間情報を取得するセンサーユニットと、睡眠時間情報を記憶する記憶部と、健康管理装置へ、記憶した睡眠時間情報を送信する通信部とを備える。健康管理装置は、生体情報収集装置が送信した睡眠時間情報を受信する通信部と、被験者の呼気のアルコール濃度を検出するセンサーユニットと、被験者の睡眠時間情報を取得し、呼気のアルコール濃度と、睡眠時間情報とに基づいて、被験者の車両の運転の可否を判定する判定部と、被験者の呼気のアルコール濃度の測定中に被験者の顔を撮像部に撮像させ、撮像部が撮像することによって得られる顔の撮像結果と、被験者の車両の運転の可否の判定結果とを関連付けて記憶する処理部とを備える。【選択図】図４
2020035285.tif 000002
【特許請求の範囲】
【請求項１】
被験者の生体情報を取得する生体情報収集装置と、前記生体情報収集装置が取得した前記生体情報を取得する健康管理装置とを備える健康管理システムであって、
前記生体情報収集装置は、
生体情報として、被験者の睡眠時間を示す情報を取得する生体情報収集装置センサーユニットと、
前記生体情報収集装置センサーユニットが取得した前記睡眠時間を示す情報を記憶する記憶部と、
健康管理装置へ、前記記憶部が記憶した前記睡眠時間を示す情報を送信する生体情報収集装置通信部と
を備え、
前記健康管理装置は、
前記生体情報収集装置が送信した前記睡眠時間を示す情報を受信する健康管理装置通信部と、
被験者の呼気のアルコール濃度を検出する健康管理装置センサーユニットと、
前記健康管理装置通信部が受信した前記被験者の睡眠時間を示す情報を取得し、前記健康管理装置センサーユニットが検出した前記呼気のアルコール濃度と、前記健康管理装置通信部が受信した前記睡眠時間を示す情報とに基づいて、前記被験者の車両の運転の可否を判定する判定部と、
前記健康管理装置センサーユニットによる前記被験者の呼気のアルコール濃度の測定中に前記被験者の顔を撮像部に撮像させ、前記撮像部が撮像することによって得られる前記顔の撮像結果と、前記被験者の車両の運転の可否の判定結果とを関連付けて記憶する処理部と
を備える、健康管理システム。
【請求項２】
前記処理部は、前記被験者のＩＤを取得した後に、前記被験者の呼気のアルコール濃度の測定を前記健康管理装置センサーユニットに行わせる、請求項１に記載の健康管理システム。
【請求項３】
前記生体情報収集装置センサーユニットは、前記生体情報として、血圧を示す情報と脈拍を示す情報とのいずれか一方又は両方を取得し、
前記記憶部は、前記血圧を示す情報と前記脈拍を示す情報とのいずれか一方又は両方を記憶し、
前記生体情報収集装置通信部は、前記健康管理装置へ、前記記憶部が記憶した前記血圧を示す情報と前記脈拍を示す情報とのいずれか一方又は両方を送信し、
前記処理部は、前記顔の撮像結果と、前記被験者の車両の運転の可否の判定結果と、前記血圧を示す情報と前記脈拍を示す情報とのいずれか一方又は両方とを関連付けて記憶する、請求項１又は請求項２に記載の健康管理システム。
【請求項４】
前記生体情報収集装置センサーユニットは、前記生体情報として、前記被験者の体温を示す情報を取得し、
前記記憶部は、前記被験者の前記体温を示す情報を記憶し、
前記生体情報収集装置通信部は、前記健康管理装置へ、前記記憶部が記憶した前記体温を示す情報を送信し、
前記健康管理装置センサーユニットは、前記被験者の前記呼気の温度を検出し、
前記処理部は、前記顔の撮像結果と、前記被験者の車両の運転の可否の判定結果と、前記体温を示す情報と、前記呼気の前記温度を示す情報とを関連付けて記憶する、請求項１から請求項３のいずれか一項に記載の健康管理システム。
【請求項５】
前記生体情報収集装置通信部は、サーバへ、前記記憶部が記憶した前記睡眠時間を示す情報を送信し、
前記健康管理装置は、
前記サーバへ、前記処理部が記憶した前記顔の撮像結果と、前記被験者の車両の運転の可否の判定結果とを、送信する健康管理装置通信部
を備え、
前記サーバは、前記生体情報収集装置が送信した前記睡眠時間を示す情報と、前記健康管理装置が送信した前記被験者の車両の運転の可否の判定結果と、被験者のＩＤとを関連付けて記憶する、請求項１から請求項４のいずれか一項に記載の健康管理システム。
【請求項６】
前記サーバは、端末装置が送信した情報要求に基づいて、前記情報要求に含まれる被験者のＩＤに該当する情報を含む情報応答を送信する、請求項５に記載の健康管理システム。
【請求項７】
被験者の生体情報を取得する生体情報収集装置から、前記生体情報を取得する健康管理装置であって、
前記生体情報収集装置が送信した睡眠時間を示す情報を受信する通信部と、
被験者の呼気のアルコール濃度を検出するセンサーユニットと、
前記通信部が受信した前記被験者の睡眠時間を示す情報を取得し、前記センサーユニットが検出した前記呼気のアルコール濃度と、前記通信部が受信した前記睡眠時間を示す情報とに基づいて、前記被験者の車両の運転の可否を判定する判定部と、
前記センサーユニットによる前記被験者の呼気のアルコール濃度の測定中に前記被験者の顔を撮像部に撮像させ、前記撮像部が撮像することによって得られる前記顔の撮像結果と、前記被験者の車両の運転の可否の判定結果とを関連付けて、記憶する処理部と
を備える、健康管理装置。
【請求項８】
被験者の生体情報を取得する生体情報収集装置と、前記生体情報収集装置が取得した前記生体情報を取得する健康管理装置とを備える健康管理システムが実行する健康管理方法であって、
前記生体情報収集装置が、生体情報として、被験者の睡眠時間を示す情報を取得するステップと、
前記生体情報収集装置が、前記取得するステップで取得した前記睡眠時間を示す情報を記憶するステップと、
前記生体情報収集装置が、健康管理装置へ、前記記憶するステップで記憶した前記睡眠時間を示す情報を送信するステップと、
前記健康管理装置が、前記生体情報収集装置が送信した前記睡眠時間を示す情報を受信するステップと、
前記健康管理装置が、被験者の呼気のアルコール濃度を検出するステップと、
前記健康管理装置が、受信した前記被験者の睡眠時間を示す情報と、検出した前記呼気のアルコール濃度とに基づいて、前記被験者の車両の運転の可否を判定するステップと、
前記健康管理装置が、前記被験者の呼気のアルコール濃度の測定中に前記被験者の顔を撮像させ、撮像させることによって得られる前記顔の撮像結果と、前記被験者の車両の運転の可否の判定結果とを関連付けて、記憶するステップと
を有する、健康管理方法。
【請求項９】
被験者の生体情報を取得する生体情報収集装置から、前記生体情報を取得する健康管理装置が実行する健康管理方法であって、
前記生体情報収集装置が送信した睡眠時間を示す情報を受信するステップと、
被験者の呼気のアルコール濃度を検出するセンサーユニットが検出した前記呼気のアルコール濃度と、受信した前記睡眠時間を示す情報とに基づいて、前記被験者の車両の運転の可否を判定するステップと、
前記被験者の呼気のアルコール濃度の測定の最中に前記被験者の顔を撮像させるステップと、
撮像することによって得られる前記顔の撮像結果と、前記被験者の車両の運転の可否の判定結果とを関連付けて、記憶するステップと
を有する、健康管理方法。
【請求項１０】
被験者の生体情報を取得する生体情報収集装置のコンピュータに、
生体情報として、被験者の睡眠時間を示す情報を取得するステップと、
前記取得するステップで取得した前記睡眠時間を示す情報を記憶するステップと、
健康管理装置へ、前記記憶するステップで記憶した前記睡眠時間を示す情報を送信するステップと
を実行させるプログラム。
【請求項１１】
被験者の生体情報を取得する生体情報収集装置から、前記生体情報を取得する健康管理装置のコンピュータに、
前記生体情報収集装置から、前記被験者の睡眠時間を示す情報を取得するステップと、
前記被験者の呼気のアルコール濃度を検出するセンサーユニットが検出した前記呼気のアルコール濃度と、取得した前記睡眠時間を示す情報とに基づいて、前記被験者の車両の運転の可否を判定するステップと、
前記被験者の呼気のアルコール濃度の測定の最中に前記被験者の顔を撮像させるステップと、
撮像することによって得られる前記顔の撮像結果と、前記被験者の車両の運転の可否の判定結果とを関連付けて、記憶するステップと
を実行させる、プログラム。
【発明の詳細な説明】
【技術分野】
【０００１】
本発明は、健康管理システム、健康管理装置、健康管理方法、およびプログラムに関する。
【背景技術】
【０００２】
平成２１年３月に、死者数半減、飲酒運転ゼロを目指して、「事業者用自動車総合安全プラン２００９」が策定され、事業用自動車に係る事故の削減に取り組むことが行われている。さらに、この「事業用自動車総合安全プラン２００９」に基づいて、事業用自動車の飲酒運転ゼロの目標を達成するため、平成２２年４月２８日に、点呼時にアルコール検知器の使用を義務付けること（旅客自動車運送事業運輸規則及び貨物自動車運送事業輸送安全規則の一部改正）と、酒気を帯びた乗務員を乗務させてはならないこと（旅客自動車運送事業運輸規則及び貨物自動車運送事業輸送安全規則の一部改正）が明確化された。
【０００３】
安全道路運送法は、管理者とドライバーとが対面して乗務前の点呼を実施することを、運送事業者に義務付けている。実施内容は、ドライバーの健康状態、検知器を活用した飲酒の有無の確認の他、点呼記録の保管など、多岐にわたる。運行前に管理者がドライバーと対面し、健康状態、飲酒状況を確認する対面点呼においては、体内に残るアルコールを数値で知らせる呼気中アルコール検査装置などが導入されている。
さらに、平成３０年４月に、国土交通省から、バス、タクシー、トラック事業について、運転者の睡眠不足による事故の防止を一層推進するため、睡眠不足の乗務員を乗務させてはならないことなどが明確化され、点呼簿の記録事項として睡眠不足の状況が追加された（旅客自動車運送事業運輸規則及び貨物自動車運送事業輸送安全規則の一部改正）。
【０００４】
ドライバーの飲酒状況を確認する技術に関して、確実なアルコールの飲酒の判断を電子的に識別する技術が知られている（例えば、特許文献１参照）。この技術では、アルコール検知システムは、アルコールガスセンサーを用い、呼気のアルコール濃度を検知するセンサーユニットを持ち被験者（測定者）の呼気のアルコール濃度の測定結果をデジタル表示にて表示する仕組みと、その被験者のデータを市販のパソコン等にデータ転送出来る仕組みと、被験者ＩＤコード（社員ｎｏ．等）、測定時刻、温度、湿度、測定回数累計、測定結果濃度等を印字（送信）する手段を備える。
【先行技術文献】
【特許文献】
【０００５】
【特許文献１】特開２００４−２１２２１７号公報
【発明の概要】
【発明が解決しようとする課題】
【０００６】
前述したアルコール検知システムは、デジタル表示にて被験者（測定者）のアルコール濃度を表示する。しかし、アルコール濃度だけでは、その被験者を乗務させてよいか否かの判定はできない。
また、管理者とドライバーとが対面して乗務前の点呼を実施するときに、ドライバーの睡眠時間の確認を行う場合には、その精度と信頼性に不安がある。また、同時に、対面点呼は、２４時間体制の車両運行に対応して昼夜問わず行われ、管理側の負担も大きい。
【０００７】
本発明は、このような事情を考慮してなされたもので、被験者を乗務させることができるか否かの判定を容易にできる健康管理システム、健康管理装置、健康管理方法、およびプログラムを提供することを課題とする。
【課題を解決するための手段】
【０００８】
上記の課題を解決するために、本発明の一態様は、被験者の生体情報を取得する生体情報収集装置と、前記生体情報収集装置が取得した前記生体情報を取得する健康管理装置とを備える健康管理システムであって、前記生体情報収集装置は、生体情報として、被験者の睡眠時間を示す情報を取得する生体情報収集装置センサーユニットと、前記生体情報収集装置センサーユニットが取得した前記睡眠時間を示す情報を記憶する記憶部と、健康管理装置へ、前記記憶部が記憶した前記睡眠時間を示す情報を送信する生体情報収集装置通信部とを備え、前記健康管理装置は、前記生体情報収集装置が送信した前記睡眠時間を示す情報を受信する健康管理装置通信部と、被験者の呼気のアルコール濃度を検出する健康管理装置センサーユニットと、前記健康管理装置通信部が受信した前記被験者の睡眠時間を示す情報を取得し、前記健康管理装置センサーユニットが検出した前記呼気のアルコール濃度と、前記健康管理装置通信部が受信した前記睡眠時間を示す情報とに基づいて、前記被験者の車両の運転の可否を判定する判定部と、前記健康管理装置センサーユニットによる前記被験者の呼気のアルコール濃度の測定中に前記被験者の顔を撮像部に撮像させ、前記撮像部が撮像することによって得られる前記顔の撮像結果と、前記被験者の車両の運転の可否の判定結果とを関連付けて記憶する処理部とを備える、健康管理システムである。
本発明の一態様は、健康管理システムにおいて、前記処理部は、前記被験者のＩＤを取得した後に、前記被験者の呼気のアルコール濃度の測定を前記健康管理装置センサーユニットに行わせる、構成が用いられてもよい。
本発明の一態様は、健康管理システムにおいて、前記生体情報収集装置センサーユニットは、前記生体情報として、血圧を示す情報と脈拍を示す情報とのいずれか一方又は両方を取得し、前記記憶部は、前記血圧を示す情報と前記脈拍を示す情報とのいずれか一方又は両方を記憶し、前記生体情報収集装置通信部は、前記健康管理装置へ、前記記憶部が記憶した前記血圧を示す情報と前記脈拍を示す情報とのいずれか一方又は両方を送信し、前記処理部は、前記顔の撮像結果と、前記被験者の車両の運転の可否の判定結果と、前記血圧を示す情報と前記脈拍を示す情報とのいずれか一方又は両方とを関連付けて記憶する、構成が用いられてもよい。
本発明の一態様は、健康管理システムにおいて、前記生体情報収集装置センサーユニットは、前記生体情報として、前記被験者の体温を示す情報を取得し、前記記憶部は、前記被験者の前記体温を示す情報を記憶し、前記生体情報収集装置通信部は、前記健康管理装置へ、前記記憶部が記憶した前記体温を示す情報を送信し、前記健康管理装置センサーユニットは、前記被験者の前記呼気の温度を検出し、前記処理部は、前記顔の撮像結果と、前記被験者の車両の運転の可否の判定結果と、前記体温を示す情報と、前記呼気の前記温度を示す情報とを関連付けて記憶する、構成が用いられてもよい。
本発明の一態様は、健康管理システムにおいて、前記生体情報収集装置通信部は、サーバへ、前記記憶部が記憶した前記睡眠時間を示す情報を送信し、前記健康管理装置は、前記サーバへ、前記処理部が記憶した前記顔の撮像結果と、前記被験者の車両の運転の可否の判定結果とを、送信する健康管理装置通信部を備え、前記サーバは、前記生体情報収集装置が送信した前記睡眠時間を示す情報と、前記健康管理装置が送信した前記被験者の車両の運転の可否の判定結果と、被験者のＩＤとを関連付けて記憶する、構成が用いられてもよい。
本発明の一態様は、健康管理システムにおいて、前記サーバは、端末装置が送信した情報要求に基づいて、前記情報要求に含まれる被験者のＩＤに該当する情報を含む情報応答を送信する、構成が用いられてもよい。
【０００９】
本発明の一態様は、被験者の生体情報を取得する生体情報収集装置から、前記生体情報を取得する健康管理装置であって、前記生体情報収集装置が送信した睡眠時間を示す情報を受信する通信部と、被験者の呼気のアルコール濃度を検出するセンサーユニットと、前記通信部が受信した前記被験者の睡眠時間を示す情報を取得し、前記センサーユニットが検出した前記呼気のアルコール濃度と、前記通信部が受信した前記睡眠時間を示す情報とに基づいて、前記被験者の車両の運転の可否を判定する判定部と、前記センサーユニットによる前記被験者の呼気のアルコール濃度の測定中に前記被験者の顔を前記撮像部に撮像させ、撮像部が撮像することによって得られる前記顔の撮像結果と、前記被験者の車両の運転の可否の判定結果とを関連付けて、記憶する処理部とを備える、健康管理装置である。
【００１０】
本発明の一態様は、被験者の生体情報を取得する生体情報収集装置と、前記生体情報収集装置が取得した前記生体情報を取得する健康管理装置とを備える健康管理システムが実行する健康管理方法であって、前記生体情報収集装置が、生体情報として、被験者の睡眠時間を示す情報を取得するステップと、前記生体情報収集装置が、前記取得するステップで取得した前記睡眠時間を示す情報を記憶するステップと、前記生体情報収集装置が、健康管理装置へ、前記記憶するステップで記憶した前記睡眠時間を示す情報を送信するステップと、前記健康管理装置が、前記生体情報収集装置が送信した前記睡眠時間を示す情報を受信するステップと、前記健康管理装置が、被験者の呼気のアルコール濃度を検出するステップと、前記健康管理装置が、受信した前記被験者の睡眠時間を示す情報と、検出した前記呼気のアルコール濃度とに基づいて、前記被験者の車両の運転の可否を判定するステップと、前記健康管理装置が、前記被験者の呼気のアルコール濃度の測定中に前記被験者の顔を撮像させ、撮像させることによって得られる前記顔の撮像結果と、前記被験者の車両の運転の可否の判定結果とを関連付けて、記憶するステップとを有する、健康管理方法である。
【００１１】
本発明の一態様は、被験者の生体情報を取得する生体情報収集装置から、前記生体情報を取得する健康管理装置が実行する健康管理方法であって、前記生体情報収集装置が送信した睡眠時間を示す情報を受信するステップと、被験者の呼気のアルコール濃度を検出するセンサーユニットが検出した前記呼気のアルコール濃度と、受信した前記睡眠時間を示す情報とに基づいて、前記被験者の車両の運転の可否を判定するステップと、前記被験者の呼気のアルコール濃度の測定の最中に前記被験者の顔を撮像させるステップと、撮像することによって得られる前記顔の撮像結果と、前記被験者の車両の運転の可否の判定結果とを関連付けて、記憶するステップとを有する、健康管理方法である。
【００１２】
本発明の一態様は、被験者の生体情報を取得する生体情報収集装置のコンピュータに、生体情報として、被験者の睡眠時間を示す情報を取得するステップと、前記取得するステップで取得した前記睡眠時間を示す情報を記憶するステップと、健康管理装置へ、前記記憶するステップで記憶した前記睡眠時間を示す情報を送信するステップとを実行させるプログラムである。
【００１３】
本発明の一態様は、被験者の生体情報を取得する生体情報収集装置から、前記生体情報を取得する健康管理装置のコンピュータに、前記生体情報収集装置から、前記被験者の睡眠時間を示す情報を取得するステップと、前記被験者の呼気のアルコール濃度を検出するセンサーユニットが検出した前記呼気のアルコール濃度と、取得した前記睡眠時間を示す情報とに基づいて、前記被験者の車両の運転の可否を判定するステップと、前記被験者の呼気のアルコール濃度の測定の最中に前記被験者の顔を撮像させるステップと、撮像することによって得られる前記顔の撮像結果と、前記被験者の車両の運転の可否の判定結果とを関連付けて、記憶するステップとを実行させる、プログラムである。
【発明の効果】
【００１４】
本発明の実施形態によれば、被験者を乗務させることができるか否かの判定を容易にできる健康管理システム、健康管理装置、健康管理方法、およびプログラムを提供できる。
【図面の簡単な説明】
【００１５】
【図１】本発明の一実施形態の健康管理システムの利用環境の一例を示す図である。
【図２】本発明の一実施形態の健康管理システムを構成する生体情報収集装置と、健康管理装置と、サーバとを示すブロック図である。
【図３】本発明の一実施形態の健康管理装置の動作の一例を示すシーケンスチャートである。
【図４】本発明の第１の変形例の健康管理システムを構成する生体情報収集装置と、健康管理装置と、サーバとを示すブロック図である。
【図５】本発明の第１の変形例の健康管理システム１ａの動作の一例を示すシーケンスチャートである。
【図６】本発明の第２の変形例の健康管理システムを構成する生体情報収集装置と、健康管理装置と、サーバとを示すブロック図である。
【図７】本発明の第２の変形例の健康管理システム１ｂの動作の一例を示すシーケンスチャートである。
【発明を実施するための形態】
【００１６】
次に、本実施形態に係る健康管理システム、健康管理装置、健康管理方法、およびプログラムを、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
また、本願でいう「ＸＸに基づく」とは、「少なくともＸＸに基づく」ことを意味し、ＸＸに加えて別の要素に基づく場合も含む。また、「ＸＸに基づく」とは、ＸＸを直接に用いる場合に限定されず、ＸＸに対して演算や加工が行われたものに基づく場合も含む。「ＸＸ」は、任意の要素（例えば、任意の情報）である。
【００１７】
以下、図面を参照し、本発明の実施形態について説明する。
［実施形態］
図１は、本発明の一実施形態の健康管理システムの利用環境の一例を示す図である。健康管理システム１は、ドライバーの健康を管理するシステムである。健康管理システム１は、サーバ１００と、健康管理装置２００と、生体情報収集装置３００−１と、生体情報収集装置３００−２と、生体情報収集装置３００−３とを備える。
サーバ１００と、健康管理装置２００とは、インターネット、通信事業者のコアネットワーク、種々のローカルネットワークなどのネットワーク５０によって接続される。健康管理装置２００と、生体情報収集装置３００−１と、生体情報収集装置３００−２と、生体情報収集装置３００−３とは、ブルートゥース（登録商標）などの近距離無線通信の規格にしたがって接続される。
本実施形態では、一例として、健康管理システム１を使用して、運送事業者で、ドライバーに対する点呼を実施する場合について説明を続ける。
生体情報収集装置３００−１、生体情報収集装置３００−２、生体情報収集装置３００−３の各々は、ドライバーａ、ドライバーｂ、ドライバーｃなどの異なるドライバーによって使用される。
以下、生体情報収集装置３００−１と、生体情報収集装置３００−２と、生体情報収集装置３００−３とのうち、任意の生体情報収集装置を、生体情報収集装置３００と記載する。
【００１８】
生体情報収集装置３００は、例えば、ウェアラブルコンピュータ(wearable computer)などの被験者であるドライバーによって装着される装置によって実現される。生体情報収集装置３００が、被験者であるドライバーの腕、首などの体に身に着けられることによって、生体情報収集装置３００は、被験者の生体情報を継続的に測定する。生体情報収集装置３００は、測定することによって得られた被験者の生体情報の計測結果と、被験者を識別するためのドライバーＩＤとを関連付けて記憶することによって、被験者の生体情報をモニタリングする。本実施形態では、一例として、生体情報が、被験者の睡眠時間である場合について説明を続ける。生体情報収集装置３００は、記憶している被験者の生体情報をモニタリングした結果を含み、健康管理装置２００を宛先とする生体情報通知情報を作成し、作成した生体情報通知情報を、健康管理装置２００へ送信する。
【００１９】
健康管理装置２００は、例えば、運送事業者に設置される。健康管理装置２００は、電源がオンにされることなどによって起動すると、被験者にドライバーＩＤの入力を要求する情報を表示する。被験者は、健康管理装置２００にドライバーＩＤを入力する。ここで、ドライバーＩＤの入力は、健康管理装置２００に実装されたタッチパネルに、被験者が入力してもよいし、被験者に予め配布されたＩＣカードを健康管理装置２００にかざすことによって入力してもよい。被験者がＩＣカードを、健康管理装置２００にかざすことによって、ＩＣカードに記憶されたドライバーＩＤが、近距離無線通信の規格にしたがって、健康管理装置２００へ送信される。健康管理装置２００は、ＩＣカードが送信したドライバーＩＤを受信し、受信したドライバーＩＤを取得する。
健康管理装置２００は、被験者のドライバーＩＤを取得した後に、アルコールガスセンサーによって、被験者の呼気のアルコール濃度を測定する。健康管理装置２００は、被験者の呼気のアルコール濃度の測定中に、被験者の顔を撮像する。
健康管理装置２００は、生体情報収集装置３００が送信した生体情報通知情報を受信する。健康管理装置２００は、生体情報通知情報に含まれる被験者の生体情報をモニタリングした結果を取得し、取得した被験者の生体情報をモニタリングした結果と、被験者の呼気のアルコール濃度とに基づいて、被験者の車両の運転の可否を判定する。健康管理装置２００は、被験者に車両の運転の可否を通知するために、被験者の車両の運転の可否を示す情報を表示する。健康管理装置２００は、ドライバーＩＤと、被験者の顔の撮像結果と、被験者の車両の運転の可否の判定結果と、被験者の車両の運転の可否の判定を行った日時を示す情報とを関連付けて記憶する。
健康管理装置２００は、ドライバーＩＤと、被験者の顔の撮像結果と、被験者の車両の運転の可否の判定結果と、被験者の車両の運転の可否の判定を行った日時を示す情報とを含み、サーバ１００を宛先とする車両運転可否通知情報を作成し、作成した車両運転可否通知情報を送信する。
【００２０】
サーバ１００は、例えば、運送事業者に設置される。サーバ１００は、健康管理装置２００が送信した車両運転可否通知情報を受信し、受信した車両運転可否通知情報に含まれるドライバーＩＤと、被験者の顔の撮像結果と、被験者の車両の運転の可否の判定結果と、被験者の車両の運転の可否の判定を行った日時を示す情報とを関連付けて記憶する。
以下、健康管理システム１を構成する生体情報収集装置３００と、健康管理装置２００と、サーバ１００とについて順次説明する。
図２は、本発明の一実施形態の健康管理システムを構成する生体情報収集装置と、健康管理装置と、サーバとを示すブロック図である。
（生体情報収集装置）
生体情報収集装置３００は、通信部３０５と、記憶部３２０と、情報処理部３３０と、センサーユニット３４０と、操作部３５５と、表示部３６０と、各構成要素を図２に示されているように電気的に接続するためのアドレスバスやデータバスなどのバスライン３５０とを備える。
通信部３０５は、ブルートゥース（登録商標）、ジグビー（登録商標）などの通信規格にしたがって近距離無線通信を行う通信モジュールによって実現される。通信部３０５は、健康管理装置２００などの他の装置と通信を行う。具体的には、通信部３０５は、生体情報収集装置３００が、健康管理装置２００に近づけられた場合に、健康管理装置２００との間で接続処理を行い、接続処理が完了した後に、生体情報通知情報を、健康管理装置２００へ送信する。
【００２１】
記憶部３２０は、例えば、ＲＡＭ（Random Access Memory）、ＲＯＭ（Read Only Memory）、フラッシュメモリ、またはこれらのうち複数が組み合わされたハイブリッド型記憶装置などにより実現される。記憶部３２０には、情報処理部３３０により実行されるプログラム３２２と、アプリ３２４とが記憶される。さらに、記憶部３２０には、生体情報３２６が記憶される。
アプリ３２４は、操作部３５５に対して、被験者の生体情報のモニタリングを開始する操作が行われた場合に、生体情報収集装置３００に、被験者の生体情報をモニタリングさせ、被験者の生体情報をモニタリングした結果を、記憶部３２０の生体情報３２６に記憶させる。アプリ３２４は、生体情報収集装置３００が、健康管理装置２００に近づけられることによって、生体情報収集装置３００の通信エリアに、健康管理装置２００が位置し、且つ操作部３５５に対して、被験者の生体情報をモニタリングした結果を、健康管理装置２００へ転送する操作が行われた場合に、生体情報収集装置３００に、健康管理装置２００との間で、無線接続を確立させる。アプリ３２４は、生体情報収集装置３００に、記憶部３２０の生体情報３２６に記憶されている被験者の生体情報をモニタリングした結果を含み、健康管理装置２００を宛先とする生体情報通知情報を作成させ、作成させた生体情報通知情報を、健康管理装置２００へ送信させる。
生体情報３２６は、被験者の生体情報をモニタリングした結果を記憶する。ここで、被験者の生体情報をモニタリングした結果には、ドライバーＩＤと、日時情報と、睡眠時間を示す情報とが含まれる。
【００２２】
情報処理部３３０は、例えば、ＣＰＵ（Central Processing Unit）などのプロセッサが記憶部３２０に格納されたプログラム３２２とアプリ３２４とを実行することにより実現される機能部（以下、ソフトウェア機能部と称する）である。なお、情報処理部３３０の全部または一部は、ＬＳＩ（Large Scale Integration）、ＡＳＩＣ（Application Specific Integrated Circuit）、またはＦＰＧＡ（Field-Programmable Gate Array）などのハードウェアにより実現されてもよく、ソフトウェア機能部とハードウェアとの組み合わせによって実現されてもよい。情報処理部３３０は、例えば、取得部３３２と、処理部３３４とを備える。
【００２３】
取得部３３２は、操作部３５５に対して、被験者の生体情報のモニタリングを開始する操作が行われた場合に、操作部３５５から被験者の生体情報のモニタリングを開始する操作が行われたことを示す情報（以下「モニタリング開始操作情報」という）を取得した場合に、センサーユニット３４０が出力した睡眠時間を示す情報を取得し、取得した睡眠時間を示す情報を、処理部３３４へ出力する。
取得部３３２は、操作部３５５に対して、被験者の生体情報をモニタリングした結果を、健康管理装置２００へ転送する操作が行われた場合に、その操作を受け付けたことを示す情報（以下「転送操作情報」という）を取得し、取得した転送操作情報を、処理部３３４へ出力する。
処理部３３４は、取得部３３２が出力した睡眠時間を示す情報を取得し、取得した睡眠時間を示す情報と、ドライバーＩＤと、日時情報とを関連付けた被験者の生体情報をモニタリングした結果を、記憶部３２０の生体情報３２６に記憶する。
処理部３３４は、取得部３３２が出力した転送操作情報を取得した場合に、通信部３０５と、健康管理装置２００との間で、無線接続を確立させる。処理部３３４は、通信部３０５と、健康管理装置２００との間で、無線接続が確立された後に、記憶部３２０の生体情報３２６から被験者の生体情報をモニタリングした結果を取得し、取得した被験者の生体情報をモニタリングした結果を含み、健康管理装置２００を宛先とする生体情報通知情報を作成し、作成した生体情報通知情報を、通信部３０５へ出力する。
【００２４】
センサーユニット３４０は、睡眠センサーを備え、睡眠センサーは、被験者の睡眠時間を検出し、検出した被験者の睡眠時間を示す情報を、情報処理部３３０へ出力する。例えば、センサーユニット３４０の睡眠センサーは、体動センサーを含んで構成され、体動センサーで、体動、呼吸、脈拍などによって生じる振動を検知する。センサーユニット３４０は、検知した振動に基づいて、被験者の睡眠時間を検出する。
操作部３５５は、被験者の操作を受け付ける入力デバイスである。具体的には、被験者が、操作部３５５を操作することによって、生体情報をモニタリングする操作を行った場合に、モニタリング開始操作情報を作成し、作成したモニタリング開始操作情報を、情報処理部３３０へ出力する。また、操作部３５５は、被験者が、操作部３５５を操作することによって、被験者の生体情報をモニタリングした結果を、健康管理装置２００へ転送する操作を行った場合に、操作部３５５は、転送操作情報を作成し、作成した転送操作情報を、情報処理部３３０へ出力する。
表示部３６０は、例えば、タッチパネルによって構成され、被験者の生体情報をモニタリングする操作を受け付ける画面を表示する。また、表示部３６０は、被験者の生体情報をモニタリングした結果を、健康管理装置２００へ転送する操作を受け付ける画面を表示する。
【００２５】
（健康管理装置）
健康管理装置２００は、通信部２０５と、通信部２１０と、記憶部２２０と、情報処理部２３０と、センサーユニット２４０と、操作部２５５と、表示部２６０と、撮像部２７０と、各構成要素を図２に示されているように電気的に接続するためのアドレスバスやデータバスなどのバスライン２５０とを備える。
通信部２０５は、ブルートゥース（登録商標）、ジグビー（登録商標）などの通信規格にしたがって近距離無線通信を行う通信モジュールによって実現される。通信部２０５は、生体情報収集装置３００などの他の装置と通信を行う。具体的には、通信部２０５は、生体情報収集装置３００が、健康管理装置２００に近づけられた場合に、通信部２０５と生体情報収集装置３００との間で接続処理を行い、接続処理が完了した後に、生体情報収集装置３００が送信した生体情報通知情報を受信する。通信部２０５は、受信した生体情報通知情報を、情報処理部２３０へ出力する。
通信部２１０は、通信モジュールによって実現される。通信部２１０は、ネットワーク５０を経由して、サーバ１００などの他の装置と通信を行う。具体的には、通信部２１０は、ワイファイ（登録商標）等の無線通信技術で無線通信を行う無線デバイスによって構成されている。また、通信部２１０は、有線ＬＡＮ等の通信技術で通信を行うデバイスによって構成されてもよい。通信部２１０は、サーバ１００へ、情報処理部２３０が出力した車両運転可否通知情報を送信する。
【００２６】
記憶部２２０は、例えば、ＲＡＭ、ＲＯＭ、フラッシュメモリ、またはこれらのうち複数が組み合わされたハイブリッド型記憶装置などにより実現される。記憶部２２０には、情報処理部２３０により実行されるプログラム２２２と、アプリ２２４と、判定結果２２６とが記憶される。
アプリ２２４は、電源がオンにされた場合に、健康管理装置２００に、被験者のドライバーＩＤを取得させる。アプリ２２４は、健康管理装置２００が被験者のドライバーＩＤを取得した場合に、健康管理装置２００に、被験者の呼気のアルコール濃度を測定させる。アプリ２２４は、健康管理装置２００に、被験者の呼気のアルコール濃度の測定中に、被験者の顔を撮像させる。アプリ２２４は、健康管理装置２００に、生体情報収集装置３００が送信した生体情報通知情報を受信させ、受信させた生体情報通知情報に含まれるドライバーＩＤと、日時情報と、睡眠時間を示す情報とを取得させる。アプリ２２４は、健康管理装置２００に、取得させた被験者の睡眠時間を示す情報のうち、乗務させようとする日時に該当する睡眠時間を示す情報と、被験者の呼気のアルコール濃度とに基づいて、被験者の車両の運転の可否を判定させる。
アプリ２２４は、健康管理装置２００に、被験者に車両の運転の可否を通知するために、被験者の車両の運転の可否を示す情報を表示させる。アプリ２２４は、健康管理装置２００に、ドライバーＩＤと、被験者の顔の撮像結果と、被験者の車両の運転の可否の判定結果と、被験者の車両の運転の可否の判定を行った日時を示す情報とを関連付けて記憶させる。アプリ２２４は、健康管理装置２００に、ドライバーＩＤと、被験者の顔の撮像結果と、被験者の車両の運転の可否の判定結果と、被験者の車両の運転の可否の判定を行った日時を示す情報とを含み、サーバ１００を宛先とする車両運転可否通知情報を作成させ、作成させた車両運転可否通知情報を、サーバ１００へ、送信させる。
判定結果２２６は、ドライバーＩＤと、被験者の顔の撮像結果と、被験者の車両の運転の可否の判定結果と、被験者の車両の運転の可否の判定を行った日時を示す情報とを関連付けて記憶する。
【００２７】
情報処理部２３０は、例えば、ＣＰＵなどのプロセッサが記憶部２２０に格納されたプログラム２２２とアプリ２２４とを実行することにより実現されるソフトウェア機能部である。なお、情報処理部２３０の全部または一部は、ＬＳＩ、ＡＳＩＣ、またはＦＰＧＡなどのハードウェアにより実現されてもよく、ソフトウェア機能部とハードウェアとの組み合わせによって実現されてもよい。情報処理部２３０は、例えば、取得部２３２と、判定部２３３と、処理部２３４とを備える。
取得部２３２は、操作部２５５が出力したドライバーＩＤを取得し、取得したドライバーＩＤを、判定部２３３へ出力する。また、取得部２３２は、操作部２５５が出力した車両の運転の可否の判定を依頼する情報を取得し、取得した車両の運転の可否の判定を依頼する情報を、判定部２３３へ出力する。取得部２３２は、通信部２１０が出力した生体情報通知情報を取得し、取得した生体情報通知情報を、判定部２３３へ出力する。取得部２３２は、センサーユニット２４０が出力した被験者の呼気のアルコール濃度の測定結果を取得し、取得した被験者の呼気のアルコール濃度の測定結果を、判定部２３３へ出力する。
判定部２３３は、取得部２３２が出力したドライバーＩＤと、車両の運転の可否の判定を依頼する情報と、生体情報通知情報とを取得する。判定部２３３は、取得した生体情報通知情報に含まれる被験者の生体情報をモニタリングした結果を取得する。判定部２３３は、取得部２３２が出力した被験者の呼気のアルコール濃度の測定結果を取得する。判定部２３３は、被験者の生体情報をモニタリングした結果と、被験者の呼気のアルコール濃度の測定結果とに基づいて、被験者の車両の運転の可否を判定する。具体的には、判定部２３３は、被験者の呼気のアルコール濃度の測定結果がアルコール濃度閾値未満であり、且つ睡眠時間が睡眠時間閾値以上である場合に、被験者の運転を可能とする。逆に、判定部２３３は、被験者の呼気のアルコール濃度の測定結果がアルコール濃度閾値以上である場合、又は睡眠時間が睡眠時間閾値未満である場合に、被験者の運転を不可とする。このように構成することによって、健康管理装置２００は、被験者の呼気のアルコール濃度の測定結果と、被験者の睡眠時間とに基づいて、被験者の車両の運転の可否を判定できる。ここで、アルコール濃度閾値の一例は０．１５ｍｌ／ｌであり、睡眠時間閾値の一例は６時間である。判定部２３３は、被験者の車両の運転の可否の判定結果を、処理部２３４へ出力する。
処理部２３４は、センサーユニット２４０で、アルコールガスセンサーによって被験者の呼気のアルコール濃度の測定中に、被験者の顔を撮像部２７０に撮像させる。処理部２３４は、判定部２３３が出力した被験者の車両の運転の可否の判定結果を取得し、取得した被験者の車両の運転の可否の判定結果を、表示部２６０に表示する。このように構成することによって、被験者に、車両の運転の可否を通知できる。さらに、処理部２３４は、被験者の車両の運転の可否の判定結果と、被験者の車両の運転の可否の判定を行った日時を示す情報と、撮像部２７０が撮像することによって得られる顔の撮像結果と、ドライバーＩＤとを関連付けて、記憶部２２０の判定結果２２６に記憶する。また、処理部２３４は、被験者の車両の運転の可否の判定結果と、被験者の車両の運転の可否の判定を行った日時を示す情報と、顔の撮像結果と、ドライバーＩＤとを含み、サーバ１００を宛先とする車両運転可否通知情報を作成し、作成した車両運転可否通知情報を、通信部２１０へ出力する。
【００２８】
センサーユニット２４０は、例えば、アルコールガスセンサーによって、被験者の呼気のアルコール濃度を検出する。センサーユニット２４０は、被験者の呼気のアルコール濃度の検出結果を、情報処理部２３０へ出力する。センサーユニット２４０は、化学反応方式、燃料電池方式、半導体方式、及び非拡散赤外線吸収方式のうちのいずれかのセンシング方式によって被験者の呼気のアルコール濃度を検出する。化学反応方式は、重クロム塩酸の還元反応を利用した色によるセンシング方式である。燃料電池方式は、呼気中のエタノールを燃料にして、エタノール中の水素イオンと電子に分離して電気を発生させることを利用した方式である。半導体方式は、高温に熱した酸化スズ上の空気中の酸素を還元性ガスによって取り去ることによって酸素が持っていた電子が自由電子になり、電気抵抗が変化することを利用した方式である。非拡散赤外線吸収方式は、全ての気体分子が固有に持っている赤外線吸収帯域の性質を利用した方式である。
操作部２５５は、被験者の操作を受け付ける入力デバイスである。被験者が、操作部２５５を操作することによって、ドライバーＩＤを入力した場合に、操作部２５５は、ドライバーＩＤを、情報処理部２３０へ出力する。また、被験者が、操作部２５５を操作することによって、車両の運転の可否の判定を依頼する操作を行った場合に、操作部２５５は、車両の運転の可否の判定を依頼する情報を作成し、作成した車両の運転の可否の判定を依頼する情報を、情報処理部２３０へ出力する。
表示部２６０は、例えば、タッチパネルによって構成され、ドライバーＩＤの入力を受け付ける画面を表示する。また、表示部２６０は、車両の運転の可否の判定を依頼する操作を受け付ける画面を表示する。
撮像部２７０は、例えば、デジタルカメラによって構成され、被験者の顔を撮像する。撮像部２７０は、被験者の顔を撮像することによって得られた顔の撮像結果（画像データ）を、情報処理部２３０へ出力する。
【００２９】
（サーバ）
サーバ１００は、通信部１１０と、記憶部１２０と、情報処理部１３０と、各構成要素を図２に示されているように電気的に接続するためのアドレスバスやデータバスなどのバスライン１５０とを備える。
通信部１１０は、通信モジュールによって実現される。通信部１１０は、ネットワーク５０を経由して、健康管理装置２００などの他の装置と通信を行う。具体的には、通信部１１０は、ワイファイ（登録商標）等の無線通信技術で無線通信を行う無線デバイスによって構成されている。また、通信部１１０は、有線ＬＡＮ等の通信技術で通信を行うデバイスによって構成されてもよい。通信部１１０は、健康管理装置２００が送信した車両運転可否通知情報を受信し、受信した車両運転可否通知情報を、情報処理部１３０へ出力する。
また、通信部１１０は、端末装置（図示なし）が送信した情報要求を受信し、受信した情報要求を、情報処理部１３０へ出力する。サーバ１００に記憶された情報を参照するユーザは、端末装置に対して情報を要求する操作を行う。端末装置は、ユーザが行った情報を要求する操作にしたがって、情報要求を送信する。情報要求は、被験者の顔の撮像結果と、被験者の車両の運転の可否の判定結果とのいずれか一方又は両方と、被験者の車両の運転の可否の判定を行った日時を示す情報と、ドライバーＩＤとを含む。通信部１１０は、情報処理部１３０へ出力した情報要求に対して、情報処理部１３０が出力した情報応答を取得し、取得した情報応答を、端末装置へ送信する。
【００３０】
記憶部１２０は、例えば、ＲＡＭ、ＲＯＭ、フラッシュメモリ、またはこれらのうち複数が組み合わされたハイブリッド型記憶装置などにより実現される。記憶部１２０には、情報処理部１３０により実行されるプログラム１２２と、アプリ１２４とが記憶される。また、記憶部１２０には、取得データ１２６が記憶される。
アプリ１２４は、サーバ１００に、健康管理装置２００が送信した車両運転可否通知情報を受信させ、受信させた車両運転可否通知情報に含まれるドライバーＩＤと、被験者の顔の撮像結果と、被験者の車両の運転の可否の判定結果と、被験者の車両の運転の可否の判定を行った日時を示す情報とを関連付けて記憶させる。
取得データ１２６は、ドライバーＩＤと、被験者の顔の撮像結果と、被験者の車両の運転の可否の判定結果と、被験者の車両の運転の可否の判定を行った日時を示す情報とを関連付けて記憶する。
【００３１】
情報処理部１３０は、例えば、ＣＰＵなどのプロセッサが記憶部１２０に格納されたプログラム１２２とアプリ１２４とを実行することにより実現されるソフトウェア機能部である。なお、情報処理部１３０の全部または一部は、ＬＳＩ、ＡＳＩＣ、またはＦＰＧＡなどのハードウェアにより実現されてもよく、ソフトウェア機能部とハードウェアとの組み合わせによって実現されてもよい。情報処理部１３０は、例えば、取得部１３２と、処理部１３４とを備える。
取得部１３２は、通信部１１０が出力した車両運転可否通知情報を取得し、取得した車両運転可否通知情報を、処理部１３４へ出力する。また、取得部１３２は、通信部１１０が出力した情報要求を取得し、取得した情報要求を、処理部１３４へ出力する。
処理部１３４は、取得部１３２が出力した車両運転可否通知情報を取得し、取得した車両運転可否通知情報に含まれるドライバーＩＤと、被験者の顔の撮像結果と、被験者の車両の運転の可否の判定結果とを取得する。処理部１３４は、取得したドライバーＩＤと、被験者の顔の撮像結果と、被験者の車両の運転の可否の判定結果とを関連付けて、記憶部１２０の取得データ１２６に記憶する。
また、処理部１３４は、取得部１３２が出力した情報要求を取得し、取得した情報要求に含まれる被験者の顔の撮像結果と、被験者の車両の運転の可否の判定結果とのいずれか一方又は両方と、被験者の車両の運転の可否の判定を行った日時を示す情報と、ドライバーＩＤとを取得する。処理部１３４は、取得した被験者の顔の撮像結果と、被験者の車両の運転の可否の判定結果とのいずれか一方又は両方と、被験者の車両の運転の可否の判定を行った日時を示す情報と、ドライバーＩＤとに基づいて、記憶部１２０の取得データ１２６から該当する情報を取得する。処理部１３４は、取得した情報を含み、情報要求を送信した端末装置を宛先とする情報応答を作成し、作成した情報応答を、通信部１１０へ出力する。
【００３２】
（健康管理システムの動作）
図３は、本発明の一実施形態の健康管理装置の動作の一例を示すシーケンスチャートである。ここでは、運送事業者が、健康管理装置２００を使用して、生体情報収集装置３００を装着した被験者を点呼する場合について説明する。
（ステップＳ１）
被験者の点呼が行われる前に、生体情報収集装置３００のセンサーユニット３４０は、生体情報として、被験者の睡眠時間を検出し、検出した被験者の睡眠時間を示す情報を、情報処理部３３０へ出力する。情報処理部３３０の取得部３３２は、センサーユニット３４０が出力した睡眠時間を示す情報を取得し、取得した睡眠時間を示す情報を、処理部３３４へ出力する。処理部３３４は、取得部３３２が出力した睡眠時間を示す情報を取得し、取得した睡眠時間を示す情報と、日時情報とを関連付けて、記憶部３２０に記憶する。このように構成することによって、生体情報収集装置３００は、被験者の生体情報を、モニタリングできる。
（ステップＳ２）
健康管理装置２００のスイッチがオンにされることによって起動する。
（ステップＳ３）
通信部２１０と、通信部１１０との間で、接続処理が行われる。
（ステップＳ４）
通信部２０５と、通信部３０５との間で、接続処理が行われる。
【００３３】
（ステップＳ５）
表示部２６０は、「５秒間、息を吹きかけてください。」などの被験者への指示を表示する。被験者は、センサーユニット２４０に取り付けられたマウスピースに、５秒間、息を吹きかける。
（ステップＳ６）
センサーユニット２４０は、被験者の呼気のアルコール濃度の検出が成功したか否かを判定する。被験者の呼気のアルコール濃度の検出が失敗した場合、ステップＳ５へ戻る。
（ステップＳ７）
被験者の呼気のアルコール濃度の検出が成功した場合、取得部２３２は、センサーユニット２４０から被験者の呼気のアルコール濃度の検出結果を取得し、取得した被験者の呼気のアルコール濃度の検出結果を、判定部２３３へ出力する。また、処理部２３４は、撮像部２７０に、被験者の顔を撮像させる。取得部２３２は、撮像部２７０から、被験者の顔の撮像結果を取得し、取得した被験者の顔の撮像結果を、処理部２３４へ出力する。処理部２３４は、取得部２３２が出力した被験者の顔の撮像結果を取得する。
（ステップＳ８）
生体情報収集装置３００と、健康管理装置２００との間で接続処理が完了した後に、処理部３３４は、被験者の生体情報をモニタリングした結果を含み、健康管理装置２００を宛先とする生体情報通知情報を作成し、作成した生体情報通知情報を、通信部３０５へ出力する。
【００３４】
（ステップＳ９）
通信部３０５は、処理部３３４が出力した生体情報通知情報を取得し、取得した生体情報通知情報を、健康管理装置２００へ送信する。
通信部２０５は、生体情報収集装置３００が送信した生体情報通知情報を受信し、受信した生体情報通知情報を、情報処理部２３０へ出力する。情報処理部２３０の取得部２３２は、通信部２０５が出力した生体情報通知情報を取得し、取得した生体情報通知情報を、判定部２３３へ出力する。
（ステップＳ１０）
判定部２３３は、取得部２３２が出力した生体情報通知情報を取得し、取得した生体情報通知情報に含まれる被験者の生体情報をモニタリングした結果と、ドライバーＩＤとを取得する。判定部２３３は、被験者の生体情報をモニタリングした結果と、被験者の呼気のアルコール濃度の測定結果とに基づいて、被験者の車両の運転の可否を判定する。判定部２３３は、被験者の車両の運転の可否の判定結果を、処理部２３４へ出力する。
（ステップＳ１１）
処理部２３４は、判定部２３３が出力した被験者の車両の運転の可否の判定結果を取得し、取得した被験者の車両の運転の可否の判定結果を、表示部２６０に表示する。
（ステップＳ１２）
処理部２３４は、被験者の車両の運転の可否の判定結果と、被験者の車両の運転の可否の判定を行った日時を示す情報と、顔の撮像結果と、ドライバーＩＤとを関連付けて、記憶部２２０の判定結果２２６に記憶する。
（ステップＳ１３）
処理部２３４は、被験者の車両の運転の可否の判定結果と、被験者の車両の運転の可否の判定を行った日時を示す情報と、顔の撮像結果と、ドライバーＩＤとを含み、サーバ１００を宛先とする車両運転可否通知情報を作成し、作成した車両運転可否通知情報を、通信部２１０へ出力する。
（ステップＳ１４）
通信部２１０は、処理部２３４が出力した車両運転可否通知情報を取得し、取得した車両運転可否通知情報を、サーバ１００へ送信する。
（ステップＳ１５）
通信部１１０は、健康管理装置２００が送信した車両運転可否通知情報を受信し、受信した車両運転可否通知情報を、情報処理部１３０へ出力する。情報処理部１３０の取得部１３２は、通信部１１０が出力した車両運転可否通知情報を取得し、取得した車両運転可否通知情報を、処理部１３４へ出力する。処理部１３４は、取得部１３２が出力した車両運転可否通知情報を取得し、取得した車両運転可否通知情報に含まれる被験者の車両の運転の可否の判定結果と、被験者の車両の運転の可否の判定を行った日時を示す情報と、顔の撮像結果と、ドライバーＩＤとを取得する。処理部１３４は、取得した被験者の車両の運転の可否の判定結果と、被験者の車両の運転の可否の判定を行った日時を示す情報と、顔の撮像結果と、ドライバーＩＤとを関連付けて、記憶部１２０の取得データ１２６に記憶する。
その後、サーバ１００に記憶された情報を参照するユーザは、端末装置に対して情報を要求する操作を行う。端末装置は、ユーザが行った情報を要求する操作にしたがって、情報要求を送信する。サーバ１００の通信部１１０は、端末装置が送信した情報要求を受信し、受信した情報要求を、情報処理部１３０へ出力する。取得部１３２は、通信部１１０が出力した情報要求を取得し、取得した情報要求を、処理部１３４へ出力する。処理部１３４は、取得部１３２が出力した情報要求を取得し、取得した情報要求に含まれる被験者の顔の撮像結果と、被験者の車両の運転の可否の判定結果とのいずれか一方又は両方と、被験者の車両の運転の可否の判定を行った日時を示す情報と、ドライバーＩＤとを取得する。
処理部１３４は、取得した被験者の顔の撮像結果と、被験者の車両の運転の可否の判定結果とのいずれか一方又は両方と、被験者の車両の運転の可否の判定を行った日時を示す情報と、ドライバーＩＤとに基づいて、記憶部１２０の取得データ１２６から該当する情報を取得する。処理部１３４は、取得した情報を含み、情報要求を送信した端末装置を宛先とする情報応答を作成し、作成した情報応答を、通信部１１０へ出力する。通信部１１０は、情報処理部１３０へ出力した情報応答を取得し、取得した情報応答を、端末装置へ送信する。端末装置は、サーバ１００が送信した情報応答を受信し、受信した情報応答に含まれる被験者の顔の撮像結果と、被験者の車両の運転の可否の判定結果とのいずれか一方又は両方と、被験者の車両の運転の可否の判定を行った日時を示す情報と、ドライバーＩＤとを表示する。
【００３５】
前述した実施形態では、健康管理システム１が、三台の生体情報収集装置を備える場合について説明したが、この限りでない。例えば、運送事業者が有するドライバーの人数に応じて、健康管理システム１が一台から二台の生体情報収集装置を備えるようにしてもよいし、四台以上の生体情報収集装置を備えるようにしてもよい。
前述した実施形態では、被験者がドライバーＩＤを入力した場合に、被験者の車両の運転の可否を判定する場合について説明したが、この限りでない。例えば、予め被験者の顔の画像とドライバーＩＤとを関連付けて記憶しておき、被験者がドライバーＩＤを入力した場合に、被験者の顔を撮像し、被験者の顔を撮像することによって得られた画像とドライバーＩＤとの組み合わせが記憶されている場合に被験者の車両の運転の可否を判定する処理を開始し、記憶されていない場合に被験者の車両の運転の可否を判定する処理を行わないようにしてもよい。このように構成することによって、被験者本人を照合することができるため、他人が被験者に成りすますことを防止できる。ここで、照合は、健康管理装置２００で行われてもよいし、サーバ１００で行われてもよい。
前述した実施形態では、健康管理装置２００に撮像部２７０が含まれる場合について説明したが、この例に限られない。例えば、健康管理装置２００と撮像部２７０とは、別々の装置で実現されてもよい。この場合、撮像部２７０が撮像することによって得られる被験者の顔の撮像結果が健康管理装置２００に出力される。
前述した実施形態では、取得データ１２６が記憶された記憶部１２０を、サーバ１００が備えている場合について説明したが、この例に限られない。例えば、取得データ１２６がクラウド上に記憶されていてもよい。この場合、サーバ１００は、クラウド上の取得データ１２６に、ドライバーＩＤと、被験者の顔の撮像結果と、被験者の車両の運転の可否の判定結果とを関連付けて記憶する。
前述した実施形態では、生体情報収集装置３００が健康管理装置２００へ生体情報通知情報を送信する。そして、健康管理装置２００が、生体情報収集装置３００が送信した生体情報通知情報を受信し、受信した生体情報通知情報に基づいて、車両の運転の可否を判定し、車両の運転の可否の判定結果を含む車両運転可否通知情報を、サーバ１００へ送信する場合について説明したがこの例に限られない。
例えば、生体情報収集装置３００は、生体情報通知情報を、直接またはＰＣなどの通信装置を経由して、サーバ１００へ送信してもよい。また、健康管理装置２００は、車両運転可否通知情報に加え、生体情報通知情報を、直接またはＰＣなどの通信装置を経由して、サーバ１００へ送信してもよい。サーバ１００は、取得データ１２６に、ドライバーＩＤを関連付けて、生体情報通知情報を記憶する。この場合、サーバ１００に記憶された情報を参照するユーザは、端末装置に対して、生体情報通知情報を要求する操作を行う。端末装置は、ユーザが行った生体情報を要求する操作にしたがって、情報要求を送信する。
本実施形態の健康管理システム１によれば、生体情報収集装置３００は、生体情報として、被験者の睡眠時間を示す情報を取得し、取得した睡眠時間を示す情報を記憶し、記憶した睡眠時間を示す情報を、健康管理装置２００へ送信する。健康管理装置２００は、アルコールガスセンサーによって、被験者の呼気のアルコール濃度を検出し、アルコールガスセンサーによる被験者の呼気のアルコール濃度の測定中に被験者の顔を撮像する。健康管理装置２００は、生体情報収集装置３００が送信した睡眠時間を示す情報を受信し、受信した睡眠時間を示す情報と、検出した呼気のアルコール濃度とに基づいて、被験者の車両の運転の可否を判定する。健康管理装置２００は、撮像することによって得られる顔の撮像結果と、被験者の車両の運転の可否の判定結果と、被験者の車両の運転の可否の判定を行った日時を示す情報とを関連付けて記憶する。このように構成することによって、健康管理装置２００は、被験者の呼気のアルコール濃度に加えて、被験者の睡眠時間に基づいて、被験者の車両の運転の可否を判定できる。このため、管理者とドライバーとが対面して乗務前の点呼を実施するときに、ドライバーの睡眠時間の確認を行うことなく、被験者を乗務させることができるか否かの判定を容易にできる。
【００３６】
（第１の変形例）
本発明の第１の変形例の健康管理システム１ａの利用環境の一例は、図１を適用できる。ただし、健康管理装置２００の代わりに健康管理装置２００ａを備え、生体情報収集装置３００−１と、生体情報収集装置３００−２と、生体情報収集装置３００−３との代わりに、生体情報収集装置３００ａ−１と、生体情報収集装置３００ａ−２と、生体情報収集装置３００ａ−３とを備える。
生体情報収集装置３００ａ−１、生体情報収集装置３００ａ−２、生体情報収集装置３００ａ−３の各々は、ドライバーａ、ドライバーｂ、ドライバーｃなどの異なるドライバーによって使用される。
以下、生体情報収集装置３００ａ−１と、生体情報収集装置３００ａ−２と、生体情報収集装置３００ａ−３とのうち、任意の生体情報収集装置を、生体情報収集装置３００ａと記載する。
【００３７】
生体情報収集装置３００ａは、生体情報収集装置３００と比較して、生体情報収集装置３００ａが、被験者の生体情報として、被験者の睡眠時間に加えて、被験者の血圧と、被験者の脈拍とをモニタリングする点で異なる。生体情報収集装置３００ａは、記憶している被験者の生体情報をモニタリングした結果を含み、健康管理装置２００ａを宛先とする生体情報通知情報を作成し、作成した生体情報通知情報を、健康管理装置２００ａへ送信する。ここで、生体情報通知情報には、被験者の睡眠時間を示す情報と、被験者の血圧を示す情報と、被験者の脈拍を示す情報とが含まれる。
健康管理装置２００ａは、健康管理装置２００と比較して、健康管理装置２００ａが、生体情報収集装置３００ａが送信した生体情報通知情報を受信し、受信した生体情報通知情報に含まれる被験者の血圧を示す情報と、被験者の脈拍を示す情報とに基づいて、必要に応じて、被験者に健康に関して注意を促す点で異なる。また、健康管理装置２００ａは、健康管理装置２００と比較して、健康管理装置２００ａが、ドライバーＩＤと、被験者の顔の撮像結果と、被験者の車両の運転の可否の判定結果と、被験者の車両の運転の可否の判定を行った日時を示す情報とに加えて、被験者の血圧を示す情報と、被験者の脈拍を示す情報とを関連付けて記憶する点で異なる。また、健康管理装置２００ａは、健康管理装置２００と比較して、健康管理装置２００ａが、ドライバーＩＤと、被験者の顔の撮像結果と、被験者の車両の運転の可否の判定結果と、被験者の車両の運転の可否の判定を行った日時を示す情報とに加えて、被験者の血圧を示す情報と、被験者の脈拍を示す情報とを含み、サーバ１００を宛先とする車両運転可否通知情報を作成し、作成した車両運転可否通知情報を送信する点で異なる。
以下、健康管理システム１ａを構成する生体情報収集装置３００ａと、健康管理装置２００ａと、サーバ１００とのうち、実施形態と異なる生体情報収集装置３００ａと、健康管理装置２００ａとについて順次説明する。
図４は、本発明の第１の変形例の健康管理システムを構成する生体情報収集装置と、健康管理装置と、サーバとを示すブロック図である。
【００３８】
（生体情報収集装置）
生体情報収集装置３００ａは、通信部３０５と、記憶部３２０ａと、情報処理部３３０ａと、センサーユニット３４０ａと、操作部３５５と、表示部３６０と、各構成要素を図４に示されているように電気的に接続するためのアドレスバスやデータバスなどのバスライン３５０とを備える。
記憶部３２０ａは、例えば、ＲＡＭ、ＲＯＭ、フラッシュメモリ、またはこれらのうち複数が組み合わされたハイブリッド型記憶装置などにより実現される。記憶部３２０ａには、情報処理部３３０ａにより実行されるプログラム３２２と、アプリ３２４ａとが記憶される。さらに、記憶部３２０ａには、生体情報３２６ａが記憶される。
アプリ３２４ａは、操作部３５５に対して、被験者の生体情報のモニタリングを開始する操作が行われた場合に、生体情報収集装置３００ａに、被験者の生体情報をモニタリングさせ、被験者の生体情報をモニタリングした結果を、記憶部３２０ａの生体情報３２６ａに記憶させる。アプリ３２４ａは、生体情報収集装置３００ａが、健康管理装置２００ａに近づけられることによって、生体情報収集装置３００ａの通信エリアに、健康管理装置２００ａが位置し、操作部３５５に対して、被験者の生体情報をモニタリングした結果を、健康管理装置２００ａへ転送する操作が行われた場合に、生体情報収集装置３００ａに、健康管理装置２００ａとの間で、無線接続を確立させる。アプリ３２４ａは、生体情報収集装置３００ａに、記憶部３２０ａの生体情報３２６ａに記憶されている被験者の生体情報をモニタリングした結果を含み、健康管理装置２００ａを宛先とする生体情報通知情報を作成させ、作成させた生体情報通知情報を、健康管理装置２００ａへ送信させる。
生体情報３２６ａは、被験者の生体情報をモニタリングした結果を記憶する。ここで、被験者の生体情報をモニタリングした結果には、ドライバーＩＤと、日時情報と、睡眠時間を示す情報と、被験者の血圧を示す情報と、被験者の脈拍を示す情報とが含まれる。
【００３９】
情報処理部３３０ａは、例えば、ＣＰＵなどのプロセッサが記憶部３２０ａに格納されたプログラム３２２とアプリ３２４ａとを実行することにより実現されるソフトウェア機能部である。なお、情報処理部３３０ａの全部または一部は、ＬＳＩ、ＡＳＩＣ、またはＦＰＧＡなどのハードウェアにより実現されてもよく、ソフトウェア機能部とハードウェアとの組み合わせによって実現されてもよい。情報処理部３３０は、例えば、取得部３３２ａと、処理部３３４ａとを備える。
取得部３３２ａは、取得部３３２を適用できる。ただし、取得部３３２ａは、センサーユニット３４０ａが出力した被験者の睡眠時間を示す情報と、被験者の血圧を示す情報と、被験者の脈拍を示す情報とを取得し、取得した睡眠時間を示す情報と、被験者の血圧を示す情報と、被験者の脈拍を示す情報とを、処理部３３４ａへ出力する。
処理部３３４ａは、処理部３３４を適用できる。ただし、処理部３３４ａは、取得部３３２ａが出力した睡眠時間を示す情報と、被験者の血圧を示す情報と、被験者の脈拍を示す情報とを取得し、取得した睡眠時間を示す情報と、被験者の血圧を示す情報と、被験者の脈拍を示す情報と、ドライバーＩＤと、日時情報とを関連付けた被験者の生体情報をモニタリングした結果を、記憶部３２０ａの生体情報３２６ａに記憶する。
【００４０】
センサーユニット３４０ａは睡眠センサーを備え、睡眠センサーは、被験者の睡眠時間を検出し、検出した被験者の睡眠時間を示す情報を、情報処理部３３０ａへ出力する。
さらに、センサーユニット３４０ａは、血圧センサーと、脈拍センサーとを備えている。血圧センサーは、被験者の血圧を計測し、被験者の血圧を示す情報を、情報処理部３３０ａへ出力する。脈拍センサーは、被験者の脈拍を計測し、被験者の脈拍を示す情報を、情報処理部３３０ａへ出力する。
【００４１】
（健康管理装置）
健康管理装置２００ａは、通信部２０５と、通信部２１０と、記憶部２２０ａと、情報処理部２３０ａと、センサーユニット２４０と、操作部２５５と、表示部２６０と、撮像部２７０と、各構成要素を図４に示されているように電気的に接続するためのアドレスバスやデータバスなどのバスライン２５０とを備える。
記憶部２２０ａは、例えば、ＲＡＭ、ＲＯＭ、フラッシュメモリ、またはこれらのうち複数が組み合わされたハイブリッド型記憶装置などにより実現される。記憶部２２０ａには、情報処理部２３０ａにより実行されるプログラム２２２と、アプリ２２４ａと、判定結果２２６ａとが記憶される。
アプリ２２４ａは、電源がオンにされた場合に、健康管理装置２００ａに、被験者のドライバーＩＤを取得させる。アプリ２２４ａは、健康管理装置２００ａが被験者のドライバーＩＤを取得した場合に、健康管理装置２００ａに、被験者の呼気のアルコール濃度を測定させる。アプリ２２４ａは、健康管理装置２００ａに、被験者の呼気のアルコール濃度の測定中に、被験者の顔を撮像させる。アプリ２２４ａは、健康管理装置２００ａに、生体情報収集装置３００ａが送信した生体情報通知情報を受信させ、受信させた生体情報通知情報に含まれるドライバーＩＤと、日時情報と、睡眠時間を示す情報と、血圧を示す情報と、脈拍を示す情報とを取得させる。アプリ２２４ａは、健康管理装置２００ａに、取得させた被験者の睡眠時間を示す情報のうち、乗務させようとする日時に該当する睡眠時間を示す情報と、被験者の呼気のアルコール濃度とに基づいて、被験者の車両の運転の可否を判定させる。アプリ２２４ａは、健康管理装置２００ａに、被験者に車両の運転の可否を通知するために、被験者の車両の運転の可否を示す情報を表示させる。アプリ２２４ａは、健康管理装置２００ａに、血圧を示す情報と、脈拍を示す情報とに基づいて、被験者に、注意を促す情報を表示させる。
アプリ２２４ａは、健康管理装置２００ａに、ドライバーＩＤと、被験者の顔の撮像結果と、被験者の車両の運転の可否の判定結果と、被験者の血圧を示す情報と、被験者の脈拍を示す情報とを関連付けて記憶させる。アプリ２２４ａは、健康管理装置２００ａに、ドライバーＩＤと、被験者の顔の撮像結果と、被験者の車両の運転の可否の判定結果と、被験者の血圧を示す情報と、被験者の脈拍を示す情報とを含み、サーバ１００を宛先とする車両運転可否通知情報を作成させ、作成させた車両運転可否通知情報を、サーバ１００へ、送信させる。
判定結果２２６ａは、ドライバーＩＤと、被験者の顔の撮像結果と、被験者の車両の運転の可否の判定結果と、被験者の血圧を示す情報と、被験者の脈拍を示す情報とを関連付けて記憶する。
【００４２】
情報処理部２３０ａは、例えば、ＣＰＵなどのプロセッサが記憶部２２０ａに格納されたプログラム２２２とアプリ２２４ａとを実行することにより実現されるソフトウェア機能部である。なお、情報処理部２３０ａの全部または一部は、ＬＳＩ、ＡＳＩＣ、またはＦＰＧＡなどのハードウェアにより実現されてもよく、ソフトウェア機能部とハードウェアとの組み合わせによって実現されてもよい。情報処理部２３０ａは、例えば、取得部２３２と、判定部２３３ａと、処理部２３４ａとを備える。
【００４３】
判定部２３３ａは、判定部２３３を適用できる。ただし、判定部２３３ａは、被験者の生体情報をモニタリングした結果に基づいて、被験者の健康に関して、注意を促すか否かを判定する。具体的には、判定部２３３ａは、被験者の血圧を示す情報に基づいて、被験者の血圧が、血圧閾値以上である場合に、血圧が高いことを通知すると判定する。判定部２３３ａは、血圧が高いことを通知すると判定した場合に、血圧が高いことを通知するための情報を処理部２３４ａへ出力する。判定部２３３ａは、被験者の血圧を示す情報を、処理部２３４ａへ出力する。また、判定部２３３ａは、被験者の脈拍を示す情報に基づいて、被験者の脈拍が脈拍閾値以上である場合に、脈拍が高いことを通知すると判定する。判定部２３３ａは、脈拍が高いことを通知すると判定した場合に、脈拍が高いことを通知するための情報を処理部２３４ａへ出力する。判定部２３３ａは、被験者の脈拍を示す情報を、処理部２３４ａへ出力する。
【００４４】
処理部２３４ａは、処理部２３４を適用できる。ただし、処理部２３４ａは、判定部２３３ａから、血圧が高いことを通知するための情報と、脈拍が高いことを通知するための情報とのうち、いずれか一方又は両方を取得した場合には、取得した血圧が高いことを通知するための情報と、脈拍が高いことを通知するための情報とのうち、いずれか一方又は両方を表示部２６０に表示する。処理部２３４ａは、判定部２３３ａが出力した被験者の車両の運転の可否の判定結果と、被験者の車両の運転の可否の判定を行った日時を示す情報と、被験者の血圧を示す情報と、被験者の脈拍を示す情報とを取得し、取得した被験者の車両の運転の可否の判定結果と、被験者の車両の運転の可否の判定を行った日時を示す情報と、被験者の血圧を示す情報と、被験者の脈拍を示す情報と、撮像部２７０が撮像することによって得られる顔の撮像結果と、ドライバーＩＤとを関連付けて、記憶部２２０ａの判定結果２２６ａに記憶する。処理部２３４ａは、被験者の車両の運転の可否の判定結果と、被験者の車両の運転の可否の判定を行った日時を示す情報と、被験者の血圧を示す情報と、被験者の脈拍を示す情報と、顔の撮像結果と、ドライバーＩＤとを含み、サーバ１００を宛先とする車両運転可否通知情報を作成し、作成した車両運転可否通知情報を、通信部２１０へ出力する。
【００４５】
（健康管理システムの動作）
図５は、本発明の第１の変形例の健康管理システム１ｂの動作の一例を示すシーケンスチャートである。
（ステップＳ２１）
被験者の点呼が行われる前に、生体情報収集装置３００ａのセンサーユニット３４０ａは、生体情報として、被験者の睡眠時間と、被験者の血圧と、被験者の脈拍とを検出し、検出した被験者の睡眠時間を示す情報と、被験者の血圧を示す情報と、被験者の脈拍を示す情報とを、情報処理部３３０ａへ出力する。情報処理部３３０ａの取得部３３２ａは、センサーユニット３４０ａが出力した睡眠時間を示す情報と、被験者の血圧を示す情報と、被験者の脈拍を示す情報とを取得し、取得した睡眠時間を示す情報と、被験者の血圧を示す情報と、被験者の脈拍を示す情報とを、処理部３３４ａへ出力する。処理部３３４ａは、取得部３３２ａが出力した睡眠時間を示す情報と、被験者の血圧を示す情報と、被験者の脈拍を示す情報とを取得し、取得した睡眠時間を示す情報と、被験者の血圧を示す情報と、被験者の脈拍を示す情報と、日時情報とを関連付けて、記憶部３２０ａに記憶する。このように構成することによって、生体情報収集装置３００ａは、被験者の生体情報を、モニタリングできる。
ステップＳ２２−Ｓ３０は、図３を参照して説明した実施形態を適用できる。
（ステップＳ３１）
処理部２３４ａは、判定部２３３ａが出力した被験者の車両の運転の可否の判定結果を取得し、取得した被験者の車両の運転の可否の判定結果を、表示部２６０に表示する。処理部２３４ａは、判定部２３３ａから、血圧が高いことを通知するための情報と、脈拍が高いことを通知するための情報とのうち、いずれか一方又は両方を取得した場合には、取得した血圧が高いことを通知するための情報と、脈拍が高いことを通知するための情報とのうち、いずれか一方又は両方を表示部２６０に表示する。
（ステップＳ３２）
処理部２３４ａは、被験者の車両の運転の可否の判定結果と、被験者の車両の運転の可否の判定を行った日時を示す情報と、顔の撮像結果と、ドライバーＩＤと、被験者の血圧を示す情報と、被験者の脈拍を示す情報とを関連付けて、記憶部２２０ａの判定結果２２６ａに記憶する。
（ステップＳ３３）
処理部２３４ａは、被験者の車両の運転の可否の判定結果と、被験者の車両の運転の可否の判定を行った日時を示す情報と、顔の撮像結果と、ドライバーＩＤと、被験者の血圧を示す情報と、被験者の脈拍を示す情報とを含み、サーバ１００を宛先とする車両運転可否通知情報を作成し、作成した車両運転可否通知情報を、通信部２１０へ出力する。
ステップＳ３４−Ｓ３５は、図３を参照して説明した実施形態を適用できる。
その後、サーバ１００に記憶された情報を参照するユーザは、端末装置に対して情報を要求する操作を行う。端末装置は、ユーザが行った情報を要求する操作にしたがって、情報要求を送信する。サーバ１００の通信部１１０は、端末装置が送信した情報要求を受信し、受信した情報要求を、情報処理部１３０へ出力する。取得部１３２は、通信部１１０が出力した情報要求を取得し、取得した情報要求を、処理部１３４へ出力する。処理部１３４は、取得部１３２が出力した情報要求を取得し、取得した情報要求に含まれる被験者の血圧を示す情報と、被験者の脈拍を示す情報と、被験者の顔の撮像結果と、被験者の車両の運転の可否の判定結果とのうち、少なくとも一つと、被験者の車両の運転の可否の判定を行った日時を示す情報と、ドライバーＩＤとを取得する。
処理部１３４は、取得した被験者の血圧を示す情報と、被験者の脈拍を示す情報と、被験者の顔の撮像結果と、被験者の車両の運転の可否の判定結果とのうち、少なくとも一つと、被験者の車両の運転の可否の判定を行った日時を示す情報と、ドライバーＩＤとに基づいて、記憶部１２０の取得データ１２６から該当する情報を取得する。処理部１３４は、取得した情報を含み、情報要求を送信した端末装置を宛先とする情報応答を作成し、作成した情報応答を、通信部１１０へ出力する。通信部１１０は、情報処理部１３０へ出力した情報応答を取得し、取得した情報応答を、端末装置へ送信する。端末装置は、サーバ１００が送信した情報応答を受信し、受信した情報応答に含まれる被験者の血圧を示す情報と、被験者の脈拍を示す情報と、被験者の顔の撮像結果と、被験者の車両の運転の可否の判定結果とのうち、少なくとも一つと、被験者の車両の運転の可否の判定を行った日時を示す情報と、ドライバーＩＤとを表示する。
【００４６】
前述した変形例では、生体情報に、被験者の血圧を示す情報と、被験者の脈拍を示す情報との両方が含まれる場合について説明したが、この例に限られない。例えば、生体情報に、被験者の血圧を示す情報と、被験者の脈拍を示す情報とのいずれかが含まれるようにしてもよい。
前述した変形例では、生体情報収集装置３００ａが健康管理装置２００ａへ生体情報通知情報を送信する。そして、健康管理装置２００ａが、生体情報収集装置３００ａが送信した生体情報通知情報を受信し、受信した生体情報通知情報に基づいて、車両の運転の可否を判定し、車両の運転の可否の判定結果を含む車両運転可否通知情報を、サーバ１００へ送信する場合について説明したがこの例に限られない。
例えば、生体情報収集装置３００ａは、生体情報通知情報を、直接またはＰＣなどの通信装置を経由して、サーバ１００へ送信してもよい。また、健康管理装置２００ａは、車両運転可否通知情報に加え、生体情報通知情報を、直接またはＰＣなどの通信装置を経由して、サーバ１００へ送信してもよい。サーバ１００は、取得データ１２６に、ドライバーＩＤを関連付けて、生体情報通知情報を記憶する。この場合、サーバ１００に記憶された情報を参照するユーザは、端末装置に対して、生体情報通知情報を要求する操作を行う。端末装置は、ユーザが行った生体情報を要求する操作にしたがって、情報要求を送信する。
変形例の健康管理システム１ａによれば、生体情報収集装置３００ａは、生体情報として、被験者の睡眠時間を示す情報と、血圧を示す情報と脈拍を示す情報とのいずれか一方又は両方を取得し、取得した睡眠時間を示す情報と、血圧を示す情報と脈拍を示す情報とのいずれか一方又は両方を記憶し、記憶した睡眠時間を示す情報と、血圧を示す情報と脈拍を示す情報とのいずれか一方又は両方を、健康管理装置２００ａへ送信する。健康管理装置２００ａは、被験者の呼気のアルコール濃度を検出し、アルコールガスセンサーによる被験者の呼気のアルコール濃度の測定の最中に被験者の顔を撮像する。健康管理装置２００ａは、生体情報収集装置３００ａが送信した睡眠時間を示す情報と、血圧を示す情報と脈拍を示す情報とのいずれか一方又は両方を受信し、受信した睡眠時間を示す情報と、検出した呼気のアルコール濃度とに基づいて、被験者の車両の運転の可否を判定する。健康管理装置２００ａは、撮像することによって得られる顔の撮像結果と、被験者の車両の運転の可否の判定結果と、血圧を示す情報と脈拍を示す情報とのいずれか一方又は両方とを関連付けて記憶する。このように構成することによって、健康管理装置２００ａは、被験者の呼気のアルコール濃度に加えて、被験者の睡眠時間に基づいて、被験者の車両の運転の可否を判定できる。このため、管理者とドライバーとが対面して乗務前の点呼を実施するときに、ドライバーの睡眠時間の確認を行うことなく、被験者を乗務させることができるか否かの判定を容易にできる。さらに、健康管理装置２００ａは、被験者の血圧を示す情報と脈拍を示す情報とのいずれか一方又は両方を取得できるため、被験者に、健康に関する注意を促すことができる。
【００４７】
（第２の変形例）
本発明の一実施形態の第２の変形例の健康管理システム１ｂの利用環境の一例は、図１を適用できる。ただし、健康管理装置２００の代わりに健康管理装置２００ｂを備え、生体情報収集装置３００−１と、生体情報収集装置３００−２と、生体情報収集装置３００−３との代わりに、生体情報収集装置３００ｂ−１と、生体情報収集装置３００ｂ−２と、生体情報収集装置３００ｂ−３とを備える。
生体情報収集装置３００ｂ−１、生体情報収集装置３００ｂ−２、生体情報収集装置３００ｂ−３の各々は、ドライバａ、ドライバｂ、ドライバｃによって保持される。
以下、生体情報収集装置３００ｂ−１と、生体情報収集装置３００ｂ−２と、生体情報収集装置３００ｂ−３とのうち、任意の生体情報収集装置を、生体情報収集装置３００ｂと記載する。
【００４８】
生体情報収集装置３００ｂは、生体情報収集装置３００と比較して、生体情報収集装置３００ｂが、被験者の生体情報として、被験者の睡眠時間に加えて、被験者の体温を取得する点で異なる。生体情報収集装置３００ｂは、記憶している被験者の生体情報をモニタリングした結果を含み、健康管理装置２００ｂを宛先とする生体情報通知情報を作成し、作成した生体情報通知情報を、健康管理装置２００ｂへ送信する。ここで、生体情報通知情報には、被験者の睡眠時間を示す情報と、被験者の体温を示す情報とが含まれる。
健康管理装置２００ｂは、健康管理装置２００と比較して、健康管理装置２００ｂが、生体情報収集装置３００ｂが送信した生体情報通知情報を受信し、受信した生体情報通知情報に含まれる被験者の体温を示す情報に基づいて、必要に応じて、被験者に健康に関して注意を促す点で異なる。健康管理装置２００ｂは、健康管理装置２００と比較して、健康管理装置２００ｂが、被験者の呼気の温度を計測し、被験者の呼気の温度を示す情報に基づいて、必要に応じて、被験者に健康に関して注意を促す点で異なる。また、健康管理装置２００ｂは、健康管理装置２００と比較して、健康管理装置２００ｂが、ドライバーＩＤと、被験者の顔の撮像結果と、被験者の車両の運転の可否の判定結果とに加えて、被験者の体温を示す情報と、被験者の呼気の温度を示す情報とを関連付けて記憶する点で異なる。また、健康管理装置２００ｂは、健康管理装置２００と比較して、健康管理装置２００ｂが、ドライバーＩＤと、被験者の顔の撮像結果と、被験者の車両の運転の可否の判定結果とに加えて、被験者の体温を示す情報と、被験者の呼気の温度を示す情報とを含み、サーバ１００を宛先とする車両運転可否通知情報を作成し、作成した車両運転可否通知情報を送信する点で異なる。
以下、健康管理システム１ｂを構成する生体情報収集装置３００ｂと、健康管理装置２００ｂと、サーバ１００とのうち、実施形態と異なる生体情報収集装置３００ｂと、健康管理装置２００ｂとについて順次説明する。
図６は、本発明の第２の変形例の健康管理システムを構成する生体情報収集装置と、健康管理装置と、サーバとを示すブロック図である。
【００４９】
（生体情報収集装置）
生体情報収集装置３００ｂは、通信部３０５と、記憶部３２０ｂと、情報処理部３３０ｂと、センサーユニット３４０ｂと、操作部３５５と、表示部３６０と、各構成要素を図４に示されているように電気的に接続するためのアドレスバスやデータバスなどのバスライン３５０とを備える。
記憶部３２０ｂは、例えば、ＲＡＭ、ＲＯＭ、フラッシュメモリ、またはこれらのうち複数が組み合わされたハイブリッド型記憶装置などにより実現される。記憶部３２０ｂには、情報処理部３３０ｂにより実行されるプログラム３２２と、アプリ３２４ｂとが記憶される。さらに、記憶部３２０ｂには、生体情報３２６ｂが記憶される。
アプリ３２４ｂは、操作部３５５に対して、被験者の生体情報のモニタリングを開始する操作が行われた場合に、生体情報収集装置３００ｂに、被験者の生体情報をモニタリングさせ、被験者の生体情報をモニタリングした結果を、記憶部３２０ｂの生体情報３２６ｂに記憶させる。アプリ３２４ｂは、生体情報収集装置３００ｂが、健康管理装置２００ｂに近づけられることによって、生体情報収集装置３００ｂの通信エリアに、健康管理装置２００ｂが位置し、且つ操作部３５５に対して、被験者の生体情報をモニタリングした結果を、健康管理装置２００ｂへ転送する操作が行われた場合に、生体情報収集装置３００ｂに、健康管理装置２００ｂとの間で、無線接続を確立させる。アプリ３２４ｂは、生体情報収集装置３００ｂに、記憶部３２０ｂの生体情報３２６ｂに記憶されている被験者の生体情報をモニタリングした結果と、ドライバーＩＤとを含み、健康管理装置２００ｂを宛先とする生体情報通知情報を作成させ、作成させた生体情報通知情報を、健康管理装置２００ｂへ送信させる。
生体情報３２６ｂは、被験者の生体情報をモニタリングした結果を記憶する。ここで、被験者の生体情報をモニタリングした結果には、ドライバーＩＤと、日時情報と、睡眠時間を示す情報と、被験者の体温を示す情報とが含まれる。
【００５０】
情報処理部３３０ｂは、例えば、ＣＰＵなどのプロセッサが記憶部３２０ｂに格納されたプログラム３２２とアプリ３２４ｂとを実行することにより実現されるソフトウェア機能部である。なお、情報処理部３３０ｂの全部または一部は、ＬＳＩ、ＡＳＩＣ、またはＦＰＧＡなどのハードウェアにより実現されてもよく、ソフトウェア機能部とハードウェアとの組み合わせによって実現されてもよい。情報処理部３３０ｂは、例えば、取得部３３２ｂと、処理部３３４ｂとを備える。
取得部３３２ｂは、取得部３３２を適用できる。ただし、取得部３３２ｂは、センサーユニット３４０ｂが出力した被験者の睡眠時間を示す情報と、被験者の体温を示す情報とを取得し、取得した睡眠時間を示す情報と、被験者の体温を示す情報とを、処理部３３４ｂへ出力する。
処理部３３４ｂは、処理部３３４を適用できる。ただし、処理部３３４ｂは、取得部３３２ｂが出力した睡眠時間を示す情報と、被験者の体温を示す情報を取得し、取得した睡眠時間を示す情報と、被験者の体温を示す情報と、ドライバーＩＤと、日時情報とを関連付けた被験者の生体情報をモニタリングした結果を、記憶部３２０ｂの生体情報３２６ｂに記憶する。
センサーユニット３４０ｂは、センサーユニット３４０を適用できる。ただし、センサーユニット３４０ｂは、体温計を備えている。体温計は、被験者の体温を計測し、被験者の体温を示す情報を、情報処理部３３０ｂへ出力する。
【００５１】
（健康管理装置）
健康管理装置２００ｂは、通信部２０５と、通信部２１０と、記憶部２２０ｂと、情報処理部２３０ｂと、センサーユニット２４０ｂと、操作部２５５と、表示部２６０と、撮像部２７０と、各構成要素を図６に示されているように電気的に接続するためのアドレスバスやデータバスなどのバスライン２５０とを備える。
記憶部２２０ｂは、例えば、ＲＡＭ、ＲＯＭ、フラッシュメモリ、またはこれらのうち複数が組み合わされたハイブリッド型記憶装置などにより実現される。記憶部２２０ｂには、情報処理部２３０ｂにより実行されるプログラム２２２と、アプリ２２４ｂと、判定結果２２６ｂとが記憶される。
アプリ２２４ｂは、電源がオンにされた場合に、健康管理装置２００ｂに、被験者のドライバーＩＤを取得させる。アプリ２２４ｂは、健康管理装置２００ｂが被験者のドライバーＩＤを取得した場合に、健康管理装置２００ｂに、被験者の呼気のアルコール濃度と、呼気の温度とを測定させる。アプリ２２４ｂは、健康管理装置２００ｂに、被験者の呼気のアルコール濃度と、呼気の温度とを測定させている最中に、被験者の顔を撮像させる。アプリ２２４ｂは、健康管理装置２００ｂに、生体情報収集装置３００ｂが送信した生体情報通知情報を受信させ、受信させた生体情報通知情報に含まれるドライバーＩＤと、日時情報と、睡眠時間を示す情報と、被験者の体温を示す情報とを取得させる。
アプリ２２４ｂは、健康管理装置２００ｂに、取得させた被験者の睡眠時間を示す情報のうち、乗務させようとする日時に該当する睡眠時間を示す情報と、被験者の呼気のアルコール濃度とに基づいて、被験者の車両の運転の可否を判定させる。アプリ２２４ｂは、健康管理装置２００ｂに、被験者に車両の運転の可否を通知するために、被験者の車両の運転の可否を示す情報を表示させる。アプリ２２４ｂは、健康管理装置２００ｂに、被験者の体温を示す情報と、被験者の呼気の温度を示す情報とに基づいて、被験者に、注意を促す情報を表示させる。アプリ２２４ｂは、健康管理装置２００ｂに、ドライバーＩＤと、被験者の顔の撮像結果と、被験者の車両の運転の可否の判定結果と、被験者の体温を示す情報と、被験者の呼気の温度を示す情報とを関連付けて記憶させる。アプリ２２４ｂは、健康管理装置２００ｂに、ドライバーＩＤと、被験者の顔の撮像結果と、被験者の車両の運転の可否の判定結果と、被験者の体温を示す情報と、被験者の呼気の温度を示す情報とを含み、サーバ１００を宛先とする車両運転可否通知情報を作成させ、作成させた車両運転可否通知情報を、サーバ１００へ、送信させる。
判定結果２２６ｂは、ドライバーＩＤと、被験者の顔の撮像結果と、被験者の車両の運転の可否の判定結果と、被験者の体温を示す情報と、被験者の呼気の温度を示す情報とを関連付けて記憶する。
【００５２】
情報処理部２３０ｂは、例えば、ＣＰＵなどのプロセッサが記憶部２２０ｂに格納されたプログラム２２２とアプリ２２４ｂとを実行することにより実現されるソフトウェア機能部である。なお、情報処理部２３０ｂの全部または一部は、ＬＳＩ、ＡＳＩＣ、またはＦＰＧＡなどのハードウェアにより実現されてもよく、ソフトウェア機能部とハードウェアとの組み合わせによって実現されてもよい。情報処理部２３０ｂは、例えば、取得部２３２と、判定部２３３ｂと、処理部２３４ｂとを備える。
【００５３】
判定部２３３ｂは、判定部２３３を適用できる。ただし、判定部２３３ｂは、取得部２３２が出力した被験者の呼気のアルコール濃度の測定結果と、被験者の呼気の温度を示す情報とを取得する。判定部２３３ｂは、被験者の生体情報をモニタリングした結果に基づいて、被験者の健康に関して、注意を促すか否かを判定する。具体的には、判定部２３３ｂは、被験者の体温を示す情報に基づいて、被験者の体温が、体温閾値以上である場合に、体温が高いことを通知すると判定する。判定部２３３ｂは、体温が高いことを通知すると判定した場合に、体温が高いことを通知するための情報を処理部２３４ｂへ出力する。判定部２３３ｂは、被験者の体温を示す情報を、処理部２３４ｂへ出力する。また、判定部２３３ｂは、被験者の呼気の温度を示す情報に基づいて、被験者の呼気の温度が温度閾値以上である場合に、呼気の温度が高いことを通知すると判定する。判定部２３３ｂは、呼気の温度が高いことを通知すると判定した場合に、呼気の温度が高いことを通知するための情報を処理部２３４ｂへ出力する。判定部２３３ｂは、被験者の呼気の温度が高いことを示す情報を、処理部２３４ｂへ出力する。
【００５４】
処理部２３４ｂは、処理部２３４を適用できる。ただし、処理部２３４ｂは、判定部２３３ｂから、被験者の体温が高いことを通知するための情報と、被験者の呼気の温度が高いことを通知するための情報とのうち、いずれか一方又は両方を取得した場合には、取得した被験者の体温が高いことを通知するための情報と、被験者の呼気の温度が高いことを通知するための情報とのうち、いずれか一方又は両方を表示部２６０に表示する。
処理部２３４ｂは、判定部２３３ｂが出力した被験者の車両の運転の可否の判定結果と、被験者の体温を示す情報と、被験者の呼気の温度を示す情報とを取得し、取得した被験者の車両の運転の可否の判定結果と、被験者の体温を示す情報と、被験者の呼気の温度を示す情報と、撮像部２７０が撮像することによって得られる顔の撮像結果と、ドライバーＩＤとを関連付けて、記憶部２２０ｂの判定結果２２６ｂに記憶する。処理部２３４ｂは、被験者の車両の運転の可否の判定結果と、被験者の体温を示す情報と、被験者の呼気の温度を示す情報と、顔の撮像結果と、ドライバーＩＤとを含み、サーバ１００を宛先とする車両運転可否通知情報を作成し、作成した車両運転可否通知情報を、通信部２１０へ出力する。
【００５５】
（健康管理システムの動作）
図７は、本発明の第２の変形例の健康管理システム１ｂの動作の一例を示すシーケンスチャートである。
（ステップＳ４１）
被験者の点呼が行われる前に、生体情報収集装置３００ｂのセンサーユニット３４０ｂは、生体情報として、被験者の睡眠時間と、被験者の体温とを検出し、検出した被験者の睡眠時間を示す情報と、被験者の体温を示す情報とを、情報処理部３３０ｂへ出力する。情報処理部３３０ｂの取得部３３２ｂは、センサーユニット３４０ｂが出力した睡眠時間を示す情報と、被験者の体温を示す情報とを取得し、取得した睡眠時間を示す情報と、被験者の体温を示す情報とを、処理部３３４ｂへ出力する。処理部３３４ｂは、取得部３３２ｂが出力した睡眠時間を示す情報と、被験者の体温を示す情報とを取得し、取得した睡眠時間を示す情報と、被験者の体温を示す情報と、日時情報とを関連付けて、記憶部３２０ｂに記憶する。このように構成することによって、生体情報収集装置３００ｂは、被験者の生体情報を、モニタリングできる。
ステップＳ４２−Ｓ４５は、図３を参照して説明した実施形態を適用できる。
（ステップＳ４６）
センサーユニット２４０ｂは、被験者の呼気のアルコール濃度の検出が成功したか否かを判定する。また、センサーユニット２４０ｂは、被験者の呼気の温度の測定を行う。被験者の呼気のアルコール濃度の検出が失敗した場合、ステップＳ４５へ戻る。
ステップＳ４７−Ｓ５０は、図３を参照して説明した実施形態を適用できる。
（ステップＳ５１）
処理部２３４ｂは、判定部２３３ｂが出力した被験者の車両の運転の可否の判定結果を取得し、取得した被験者の車両の運転の可否の判定結果を、表示部２６０に表示する。処理部２３４ｂは、判定部２３３ｂから、被験者の体温が高いことを通知するための情報と、被験者の呼気の温度が高いことを通知するための情報とのうち、いずれか一方又は両方を取得した場合には、取得した被験者の体温が高いことを通知するための情報と、被験者の呼気の温度が高いことを通知するための情報とのうち、いずれか一方又は両方を表示部２６０に表示する。
（ステップＳ５２）
処理部２３４ｂは、判定部２３３ｂが出力した被験者の車両の運転の可否の判定結果と、被験者の体温を示す情報と、被験者の呼気の温度を示す情報とを取得し、取得した被験者の車両の運転の可否の判定結果と、被験者の体温を示す情報と、被験者の呼気の温度を示す情報と、撮像部２７０が撮像することによって得られる顔の撮像結果と、ドライバーＩＤとを関連付けて、記憶部２２０ｂの判定結果２２６ｂに記憶する。
（ステップＳ５３）
処理部２３４ｂは、被験者の車両の運転の可否の判定結果と、被験者の体温を示す情報と、被験者の呼気の温度を示す情報と、顔の撮像結果と、ドライバーＩＤとを含み、サーバ１００を宛先とする車両運転可否通知情報を作成し、作成した車両運転可否通知情報を、通信部２１０へ出力する。
ステップＳ５４−Ｓ５５は、図３を参照して説明した実施形態を適用できる。
その後、サーバ１００に記憶された情報を参照するユーザは、端末装置に対して情報を要求する操作を行う。端末装置は、ユーザが行った情報を要求する操作にしたがって、情報要求を送信する。サーバ１００の通信部１１０は、端末装置が送信した情報要求を受信し、受信した情報要求を、情報処理部１３０へ出力する。取得部１３２は、通信部１１０が出力した情報要求を取得し、取得した情報要求を、処理部１３４へ出力する。処理部１３４は、取得部１３２が出力した情報要求を取得し、取得した情報要求に含まれる被験者の体温を示す情報と、被験者の呼気の温度を示す情報と、被験者の顔の撮像結果と、被験者の車両の運転の可否の判定結果とのうち、少なくとも一つと、被験者の車両の運転の可否の判定を行った日時を示す情報と、ドライバーＩＤとを取得する。
処理部１３４は、取得した被験者の体温を示す情報と、被験者の呼気の温度を示す情報と、被験者の顔の撮像結果と、被験者の車両の運転の可否の判定結果とのうち、少なくとも一つと、被験者の車両の運転の可否の判定を行った日時を示す情報と、ドライバーＩＤとに基づいて、記憶部１２０の取得データ１２６から該当する情報を取得する。処理部１３４は、取得した情報を含み、情報要求を送信した端末装置を宛先とする情報応答を作成し、作成した情報応答を、通信部１１０へ出力する。通信部１１０は、情報処理部１３０へ出力した情報応答を取得し、取得した情報応答を、端末装置へ送信する。端末装置は、サーバ１００が送信した情報応答を受信し、受信した情報応答に含まれる被験者の体温を示す情報と、被験者の呼気の温度を示す情報と、被験者の顔の撮像結果と、被験者の車両の運転の可否の判定結果とのうち、少なくとも一つと、被験者の車両の運転の可否の判定を行った日時を示す情報と、ドライバーＩＤとを表示する。
【００５６】
前述した変形例では、生体情報収集装置３００ｂが健康管理装置２００ｂへ生体情報通知情報を送信する。そして、健康管理装置２００ｂが、生体情報収集装置３００ｂが送信した生体情報通知情報を受信し、受信した生体情報通知情報に基づいて、車両の運転の可否を判定し、車両の運転の可否の判定結果を含む車両運転可否通知情報を、サーバ１００へ送信する場合について説明したがこの例に限られない。
例えば、生体情報収集装置３００ｂは、生体情報通知情報を、直接またはＰＣなどの通信装置を経由して、サーバ１００へ送信してもよい。また、健康管理装置２００ｂは、車両運転可否通知情報に加え、生体情報通知情報を、直接またはＰＣなどの通信装置を経由して、サーバ１００へ送信してもよい。サーバ１００は、取得データ１２６に、ドライバーＩＤを関連付けて、生体情報通知情報を記憶する。この場合、サーバ１００に記憶された情報を参照するユーザは、端末装置に対して、生体情報通知情報を要求する操作を行う。端末装置は、ユーザが行った生体情報を要求する操作にしたがって、情報要求を送信する。
変形例の健康管理システム１ｂによれば、生体情報収集装置３００ｂは、生体情報として、被験者の睡眠時間を示す情報と、被験者の体温を示す情報とを取得し、取得した睡眠時間を示す情報と、被験者の体温を示す情報とを記憶し、記憶した睡眠時間を示す情報と、被験者の体温を示す情報とを、健康管理装置２００ｂへ送信する。健康管理装置２００ｂは、被験者の呼気のアルコール濃度と、呼気の温度とを検出し、アルコールガスセンサーによる被験者の呼気のアルコール濃度の測定中に被験者の顔を撮像する。健康管理装置２００ｂは、生体情報収集装置３００ｂが送信した睡眠時間を示す情報と、被験者の体温を示す情報とを受信し、受信した睡眠時間を示す情報と、検出した呼気のアルコール濃度とに基づいて、被験者の車両の運転の可否を判定する。健康管理装置２００ｂは、撮像することによって得られる顔の撮像結果と、被験者の車両の運転の可否の判定結果と、被験者の体温を示す情報と、呼気の温度を示す情報とを関連付けて記憶する。このように構成することによって、健康管理装置２００ｂは、被験者の呼気のアルコール濃度に加えて、被験者の睡眠時間に基づいて、被験者の車両の運転の可否を判定できる。このため、管理者とドライバーとが対面して乗務前の点呼を実施するときに、ドライバーの睡眠時間の確認を行うことなく、被験者を乗務させることができるか否かの判定を容易にできる。さらに、健康管理装置２００ｂは、被験者の体温を示す情報と、被験者の呼気の温度を示す情報とを取得できるため、被験者に、健康に関する注意を促すことができる。
【００５７】
以上に示した実施形態に係る装置（例えば、サーバ１００、健康管理装置２００、２００ａ、２００ｂ、生体情報収集装置３００、３００ａ、３００ｂなど）の機能を実現するためのプログラムをコンピュータ読み取り可能な記録媒体に記録して、この記録媒体に記録されたプログラムをコンピュータシステムに読み込ませ、実行することにより、処理を行ってもよい。
なお、ここでいう「コンピュータシステム」とは、オペレーティング・システム（ＯＳ：Ｏｐｅｒａｔｉｎｇ  Ｓｙｓｔｅｍ）あるいは周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｃ）等の可搬媒体、コンピュータシステムに内蔵されるハードディスク等の記憶装置のことをいう。
【００５８】
さらに、「コンピュータ読み取り可能な記録媒体」とは、インターネット等のネットワークあるいは電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
以上、本発明の実施形態について図面を参照して詳述したが、具体的な構成はこの実施形態に限られるものではなく、本発明の要旨を逸脱しない範囲の設計変更等も含まれる。
【符号の説明】
【００５９】
１…健康管理システム、５０…ネットワーク、１００…サーバ、１１０…通信部、１２０…記憶部、１２２…プログラム、１２４…アプリ、１２６…取得データ、１３０…情報処理部、１３２…取得部、１３４…処理部、１５０…バスライン、２００、２００ａ、２００ｂ…健康管理装置、２０５…通信部、２１０…通信部、２２０、２２０ａ、２２０ｂ…記憶部、２２２…プログラム、２２４、２２４ａ、２２４ｂ…アプリ、２２６、２２６ａ、２２６ｂ…判定結果、２３０、２３０ａ、２３０ｂ…情報処理部、２３２…取得部、２３３、２３３ａ、２３３ｂ…判定部、２３４、２３４ａ、２３４ｂ…処理部、２４０…センサーユニット、２５５…操作部、２６０…表示部、２７０…撮像部、２５０…バスライン、３００、３００ａ、３００ｂ…生体情報収集装置、３０５…通信部、３２０、３２０ａ、３２０ｂ…記憶部、３２２…プログラム、３２４、３２４ａ、３２４ｂ…アプリ、３２６、３２６ａ、３２６ｂ…生体情報、３３０、３３０ａ、３３０ｂ…情報処理部、３３２、３３２ａ、３３２ｂ…取得部、３３４、３３４ａ、３３４ｂ…処理部、３４０、３４０ａ、３４０ｂ…センサーユニット、３５５…操作部、３６０…表示部、３５０…バスライン
【図１】
2020035285.tif 000003
【図２】
2020035285.tif 000004
【図３】
2020035285.tif 000005
【図４】
2020035285.tif 000006
【図５】
2020035285.tif 000007
【図６】
2020035285.tif 000008
【図７】
2020035285.tif 000009